(57)【要約】【課題】テレテキスト表示信号の混在の防止【解決手段】テレテキスト信号から、映像信号を発信した放送局の放送局名を所定時間毎に検出して放送局の変動を検出する。放送局の変動を検出すると、テレテキスト表示信号を初期化（破棄）する。【選択図】図１
2010010994.tif 000002
【特許請求の範囲】
【請求項１】
映像信号からテレテキスト信号を検出したうえで当該テレテキスト信号をテレテキスト表示信号に変換するテレテキストデコード装置であって、
前記テレテキスト信号から、前記映像信号を発信する放送局の放送局名を検出する放送局名検出器と、
現時点で前記テレテキスト信号から検出した現放送局名と、先に前記テレテキスト信号から検出した旧放送局名とを比較し、両放送局名同士が相違すると前記テレテキスト表示信号の初期化指示を行う比較器と、
を備えることを特徴とするテレテキストデコード装置。
【請求項２】
メモリをさらに備え、
前記メモリは、前記現放送局名を格納する現放送局名格納領域と、前記旧放送局名を格納する旧放送局名格納領域とを備え、
前記比較器は、前記現放送局名格納領域から読み出した前記現放送局名と、前記旧放送局名格納領域から読み出した前記旧放送局名とを比較する、
請求項１に記載のテレテキストデコード装置。
【請求項３】
前記比較器は、前記現放送局名と前記旧放送局名との相違を確認すると、前記旧放送局名格納領域に格納している前記旧放送局名を、前記現放送局名格納領域に格納している前記現放送局名で更新する、
請求項２に記載のテレテキストデコード装置。
【請求項４】
内蔵ＲＡＭを備え、
請求項１に記載のテレテキストデコード装置を、内蔵ＲＡＭまたは外付けＲＡＭを利用して実現する、
ことを特徴とする集積回路
【請求項５】
請求項４に記載の集積回路を備える、
ことを特徴とするテレテキストデコード装置。
【請求項６】
請求項１に記載のテレテキストデコード装置を内蔵する、
ことを特徴とするテレビジョン受像装置
【請求項７】
前記放送局が発信する第１映像信号を受信するチューナと、
外部から第２映像信号が入力される入力端子と、
前記第１映像信号と前記第２映像信号とを切り換えて、前記映像信号として前記テレテキストデコード装置に供給する入力切換器と、
をさらに備える、
ことを特徴とする請求項６に記載のテレビジョン受像装置。
【請求項８】
請求項１に記載のテレテキストデコード装置を内蔵するビデオ装置
【請求項９】
請求項１のテレテキストデコード装置を内蔵するパーソナルコンピュータ。
【発明の詳細な説明】
【技術分野】
【０００１】
本発明はテレビジョン受像装置に関わり、詳しくは、外部信号入力切り替え時におけるテレテキストデコード装置の初期化技術に関する。
【背景技術】
【０００２】
テレテキスト信号は欧州／アジア等のＰＡＬテレビ信号システムが採用された国で使用されている文字放送システムであり、その規格はETSI EN300706で定義されている。テレテキスト信号は映像信号に重畳されて送られる。このテレテキスト信号は図２に示すように、チュ−ナ１２で映像信号として取り込まれ、テレテキストデコーダ２０で解析され表示装置１５に送られディスプレイ１６でテレテキスト表示される。テレテキストデータは４０文字ｘ２５行の画面を１ページとして放送局側で作成されて送り出される。
【０００３】
そのため、複数の放送局が発信したテレテキスト信号がテレテキストデコーダ２０に入力された場合、テレテキストデコーダ２０では、異なる放送局の同じページの情報が混在してしまう。そうすると、各放送局の意図とした画面をテレテキストデコーダ２０で作成することが困難になってテレビジョン受像装置利用者にとって問題となる画面表示が生じてしまう。
【０００４】
このような問題を防ぐためにテレビジョン受像装置では、テレテキスト表示中に受信チャンネルの変更ができないようにする、または受信チャンネルが変わった場合、チャンネル切換器１７からテレテキストデコーダ２０にデータの初期化を行う指示を出すことで、テレテキストデコーダ２０内のデータを破棄していた。
【発明の開示】
【発明が解決しようとする課題】
【０００５】
しかしながら、チューナ１２で受信した状態においては、上記対応策は有効であるが、外部映像信号がテレビジョン受像装置に入力された状態においては有効とならない。すなわち、テレビジョン受像装置に外部映像出力機器１０（セットトップボックス等）が接続された状態において、外部映像出力機器１０のリモコン１１で受信チャンネルを切り替えられたとしても、テレビジョン受像装置側の処理では、チャンネル切換処理として認識できない。そのため、テレビジョン受像装置では、テレテキストデコーダ２０内のデータを破棄する指示を行うことができずに、複数の放送局によって発信された映像信号がテレテキストデコーダ２０に入力されてしまう。
【０００６】
従来からこのような不都合は以下のようにして解消されていた。すなわち、図２に示すように、映像信号／ＶＢＩ信号無検出装置１４を設けて、外部映像入力機器１０のチャンネル切換時に発生する映像無信号状態を映像信号／ＶＢＩ信号無検出装置１４によって検出したうえで、この検出結果に基づいてテレテキストデコーダ２０内のデータを破棄しており、これによって上記不都合を解消していた。
【０００７】
しかしながら、このような従来の改良例においても、映像無信号期間が短い状態では上記不都合を解消することができない。というのも、映像信号／ＶＢＩ信号無検出装置１４によって映像無信号を検出しても、テレテキストデコーダ２０内のデータの破棄処理が間に合わなくなって、複数の放送局の信号がテレテキストデコーダ２０に入力されてしまう。
【課題を解決するための手段】
【０００８】
ＰＡＬテレビ信号システムでは録画機器のために放送の遅延を知らせる信号が存在し、その中には映像信号の発信した放送局の名称を特定するデータが含まれる。この放送局名データはテレテキストデータおよびＶＰＳ（Video Program System）データ中に存在する。図３に示しているパケット8/30format1にはＮＩと呼ばれる放送局コードが格納されている。また図４に示しているパケット8/30format2にはＣＮＩと呼ばれる放送局コードが格納されている。このＣＮＩはＶＰＳデータにも格納されている。さらに図５に示しているパケット0のヘッダ部分にも放送局名が表示されている。これらの信号はテレビジョン受像装置のチューニング時にチャンネル自動設定時において映像信号の放送局名を検出する際に使用されている。
【０００９】
外部入力端子に接続される外部映像入力機器（例としてセットトップボックス）でチャンネルが変更された場合、その映像信号に含まれる放送局名データが変わる。本発明ではパケット8/30format1,2や、ＶＰＳデータやパケット0を利用した放送局名検出システムを利用して一定時間毎に外部入力の映像信号の放送局名を検出する。この放送局名が一定時間前の放送局名と異なる場合、外部入力機器でチャンネルが変更されたと判断しテレテキストデコーダ内のテレテキスト表示信号を破棄する
【発明の効果】
【００１０】
この発明により、今まで無信号の期間が短い場合、複数の放送局が発信する映像信号がテレテキストデコード装置に入力される問題が、放送局名の検出およびそれに伴ったテレテキストデコード装置内のテレテキスト表示信号の破棄（初期化）により、解消される。
【発明を実施するための最良の形態】
【００１１】
（実施の形態）
図１は本発明の実施の形態のテレテキストデコード装置を組み込んだ装置５０の構成を示す概略図である。装置５０は、例えばテレビジョン受像装置から構成される。以下、本実施の形態の装置５０を、テレビジョン受像装置とみなして説明する。テレビジョン受像装置５０は、従来例（図２）の構成にさらに、放送局名検出器２１と、放送局名比較器２２と放送局名格納メモリ２３とを備える。これらの構成はテレテキスト信号入力処理部３０に設けられる。以下、詳細に説明する。
【００１２】
本実施の形態のテレビジョン受像装置５０は、チューナ１２と、チャンネル切換器１７と、入力切換器１３と、テレテキスト信号入力処理部３０と、テレテキストデコーダ２０と、表示装置１５と、ディスプレイ１６と、映像信号／ＶＢＩ無信号検出器１４と、ＡＶ入力端子３１とを備える。テレテキスト信号入力処理部３０と、テレテキストデコーダ２０と、映像信号／ＶＢＩ無信号検出器１４とはテレテキストデコード装置４０を構成する。テレテキストデコード装置４０は、例えば、内蔵ＲＡＭまたは外付けＲＡＭで構成される集積回路から構成される。なお、図中、符号１８は、チャンネル切換器１７を外部から制御する無線リモートコントローラであり、符号１１は、外部映像出力機器１０を外部から制御する無線リモートコントローラである。ＡＶ入力端子３１には外部映像出力機器１０が接続される。外部映像出力機器１０は、ＣＡＴＶ受信機やセットトップボックス等の映像信号を出力する装置からなる。外部映像出力機器１０が出力する外部映像信号はテレテキスト信号を含む。ＡＶ入力端子３１には外部映像出力機器１０から映像信号が供給される。ＡＶ入力端子３１は、受け取った映像信号を入力切換器１３に出力する。
【００１３】
チャンネル切換器１７は、受信チャンネルを選択する指示（以下、チャンネル選択指示という）をチューナ１２に出力する。さらにチャンネル切換器１７は、チューナ１２が出力する映像信号と外部映像出力機器１０が出力する映像信号とを切り換える指示（以下、入力切換指示という）を入力切換器１３に出力する。さらに、チャンネル切換器１７は、チャンネル選択指示と入力切換指示とを出力する際には、同時にデータ初期化信号をテレテキストデコーダ２０に出力する。
【００１４】
チューナ１２は、チャネル切換器１７によるチャンネル選択指示に基づいて選択される放送チャンネルの映像信号を受信する。チューナ１２が受信する映像信号はテレテキスト信号を含む。チューナ１２は、受信した映像信号を入力切換器１３に出力する。以下、チューナ１２が受信する映像信号を、受信映像信号（第１映像信号）といい、外部映像出力機器１０が出力する映像信号を外部映像信号（第２映像信号）という。
【００１５】
入力切換器１３は、チャンネル切換器１７による入力切換指示に基づいて受信映像信号と外部映像信号とを切り換えて、テレテキストデコーダ２０とテレテキスト信号入力処理部３０と映像信号／ＶＢＩ無信号検出器１４と表示装置１５とに出力する。以下、入力切換器１３が出力する映像信号を、切換映像信号という。
【００１６】
テレテキストデコーダ２０は、切換映像信号に重畳されているテレテキスト信号を検出して解析することでテレテキスト表示信号を生成して表示装置１５に出力する。表示装置は、受け取った切換映像信号とテレテキスト表示信号とに基づいて表示信号を生成してディスプレイ１６に出力する。
【００１７】
ディスプレイ１６は、表示信号に基づいて画面表示を行う。ディスプレイ１６では、表示信号に含まれる映像信号に基づいた映像表示、テレテキスト表示信号に基づいたテキスト表示、ないしは表示信号に含まれる映像信号とテレテキスト表示信号とに基づいた映像・テキスト混合表示が行われる。
【００１８】
映像信号／ＶＢＩ無信号検出器１４は、入力切換器１３が受信映像信号を出力選択している状態でチューナ１２がチャンネルを切換えた時に発生する映像信号の無信号状態の検出を行う。映像信号／ＶＢＩ無信号検出器１４は、映像信号無信号状態を検出すると、データ初期化信号をテレテキストデコーダ２０に出力する。映像信号無信号状態を検出しない場合は、データ初期化信号をテレテキストデコーダ２０に出力しない。
【００１９】
テレテキスト信号入力処理部３０は、放送局名検出器２１と、放送局名比較器２２と放送局名格納メモリ２３とを備える。放送局名検出器２１は、切換映像信号から当該切換映像信号中に含まれる当該切換映像信号の発信した放送局の名称を特定するデータ（以下、放送局名データという）を検出し、検出結果を放送局名格納メモリ２３に出力する。放送局名格納メモリ２３は、放送局名検出器２１が検出した放送局名データを格納する。放送局名格納メモリ２３は、最新の切換映像信号に重畳されている放送局名データを格納する現放送局名格納領域と、以前の切換映像信号に重畳されていた放送局名データを格納する旧放送局名格納領域とを備える。放送局名比較器２２は、放送局名格納メモリ２３の現放送局名格納領域と旧放送局名格納領域とからそれぞれ、現放送局名データと旧放送局名データとを読み出して、両データによって特定される放送局名が一致するか否かを比較する。放送局名比較器２２は、現放送局名データによって特定される放送局名と旧放送局名データによって特定される放送局名とが一致しないと判断すると、データ初期化信号をテレテキストデコーダ２０に出力し、一致すると判断すると、データ初期化信号をテレテキストデコーダ２０に出力しない。
【００２０】
テレテキストデコーダ２０は、以下のいずれの状態になっても、デコード中のテレテキスト表示信号を初期化する。
・チャンネル切換器１７からデータ初期化信号を受け取る。
・映像信号／ＶＢＩ無信号検出器１４からデータ初期化信号を受け取る。
・放送局名比較器２２からデータ初期化信号を受け取る。
【００２１】
図６を参照してテレテキスト信号入力処理部３０の動作の詳細を説明する。放送局名検出器２１は、映像信号中にテレテキスト信号が存在することを確認すると起動する。放送局名検出器２１の動作は、割り込み処理ステップＳ１０−Ｓ１２によって実現される。割り込み処理が起動されると（Ｓ１０）、まず、放送局名検出ステップＳ１００が実行されてテレテキスト信号から放送局名データが検出される。放送局名検出ステップＳ１００において検出された放送局名データは、現放送局名データとして放送局名格納メモリ２３の現放送局データ格納領域に格納される。その後、本来のテレテキスト信号の信号解析ステップＳ１１が実行されて割り込み処理が終了する（Ｓ１２）。
【００２２】
放送局名比較器２２は、映像信号中にテレテキスト信号が確認されたのち一定時間が経過すると起動する。放送局名比較器２２は、タイマ起動タスクＳ２０−Ｓ２４によって実現される。タイマ起動タスクが起動すると（Ｓ２０）、放送局名比較器２２は、放送局名格納メモリ２３の現放送局名データ格納領域と旧放送局名データ格納領域とから現放送局名データと旧放送局名データとを読み出す。放送局名比較器２２は、読み出した現放送局名データによって特定された放送局名（映像信号の発信源）と旧放送局名データによって特定された放送局名（映像信号の発信源）とが一致するか否かを判断する（ステップＳ２１）。
【００２３】
ステップＳ２１の判断において、一致すると判断する場合、放送局名比較器２２は、切換映像号においてチャンネル切換が行われていないと判断してタイマ起動タスクを終了する（Ｓ２４）。一方、ステップＳ２１の判断において、一致しないと判断する場合、放送局名比較器２２は、切換映像号においてチャンネル切換が行われたと判断してテレテキストデコーダ２０内のデータ（テレテキスト表示信号）を破棄するフラグを後述するテレテキストタスクに立てたのち、さらに、次のチャンネル変更に備えて、放送局名格納メモリ２３の旧放送局名データ格納領域に格納されている旧放送局名データを、現放送局データ格納領域に格納されている現放送局名データによって更新する。ステップＳ２２を実行した後、放送局名比較器２２はタイマ起動タスクを終了する（Ｓ２４）。
【００２４】
テレテキストデコーダ２０は一定の周期で起動する。テレテキストデコーダ２０は、テレテキストタスクＳ３０−Ｓ３５によって実現される。テレテキストタスクが起動すると、テレテキストデコーダ２０は、データ（テレテキスト表示信号）を初期化（破棄）するフラグが立っているか否かを確認する（ステップＳ３１）。ステップＳ３１において、フラグが立っていると判断する場合、ステップＳ３２−Ｓ３２に分岐する。テレテキストデコーダ２０は、ステップＳ３２で、データ（テレテキスト表示信号）を初期化（破棄）したうえで、ステップＳ３３で、データ破棄フラグをクリアする。
【００２５】
ステップＳ３１において、フラグが立っていないと判断する、もしくは、ステップＳ３２でデータ破棄フラグをクリアすると、テレテキストデコーダ２０は、通常のテレテキスト処理（ステップＳ３４）を実行したうえで、テレテキストタスクＳ３０−Ｓ３５を終了する。
【００２６】
図７のフローチャートを参照して、放送局名検出器２１による放送局名検出ステップＳ１００を詳細に説明する。放送局名検出ステップＳ１００が開始される時点においてテレテキストデコーダ２０には、テレテキスト表示信号が格納されている。そこで、まずステップＳ１１０において、放送局名検出器２１は、映像信号から検出したテレテキスト信号はＶＰＳ（Video Program System）データを含むか否かを判断する。ここで、ＶＰＳデータとは、放送番組開始時刻日時に関する時刻情報データ（放送局名データを含む）である。ステップＳ１１０で、テレテキスト信号はＶＰＳデータを含むと判断する場合、放送局名検出器２１は、ＶＰＳデータを解析して放送局名データを検出する（ステップＳ１１１）。放送局名検出器２１は、ステップＳ１１１で検出した放送局名データを、放送局名格納メモリ２３の現放送局データ格納領域に格納する（ステップＳ１５０）。
【００２７】
ステップＳ１１０において、映像信号から検出したテレテキスト信号はＶＰＳ（Video Program System）データを含まないと判断すると、放送局名検出器２１は、テレテキスト信号はパケット8/30 Format2を含むか否かを判断する（ステップＳ１２０）。ステップＳ１２０でテレテキスト信号はパケット8/30 Format2を含むと判断する場合、放送局名検出器２１は、パケット8/30 Format2を解析して放送局名データを検出する（ステップＳ１２１）。放送局名検出器２１は、ステップＳ１２１で検出した放送局名データを、放送局名格納メモリ２３の現放送局データ格納領域に格納する（ステップＳ１５０）。
【００２８】
ステップＳ１２０において、映像信号から検出したテレテキスト信号はパケット8/30 Format2を含まないと判断すると、放送局名検出器２１は、テレテキスト信号はパケット8/30 Format1を含むか否かを判断する（ステップＳ１３０）ステップＳ１３０でテレテキスト信号はパケット8/30 Format1を含むと判断する場合、放送局名検出器２１は、パケット8/30 Format1を解析して放送局名データを検出する（ステップＳ１３１）。放送局名検出器２１は、ステップＳ１３１で検出した放送局名データを、放送局名格納メモリ２３の現放送局データ格納領域に格納する（ステップＳ１５０）。
【００２９】
ステップＳ１３０において、映像信号から検出したテレテキスト信号はパケット8/30 Format1を含まないと判断すると、放送局名検出器２１は、テレテキスト信号はパケット0を含むか否かを判断する（ステップＳ１４０）。ステップＳ１４０でテレテキスト信号はパケット0を含むと判断する場合、放送局名検出器２１は、パケット0を解析して放送局名データを検出する（ステップＳ１４１）。放送局名検出器２１は、ステップＳ１４１で検出した放送局名データを、放送局名格納メモリ２３の現放送局データ格納領域に格納する（ステップＳ１５０）。
【００３０】
これらの処理により、映像信号に含まれる放送局名データ（現放送局名データ）は取り出されて一定の時間毎に旧放送局名データと比較される。そして、現放送局名データによって特定される放送局名と旧放送局名データによって特定される放送局名とが異なる場合には、テレテキストデコーダ２０内のテレテキスト表示信号を破棄することができる。
【００３１】
なお、上述した実施の形態の説明では、放送局名比較器２２が出力するデータ初期化信号に基づいて、テレテキストデコーダ２０内のテレテキスト表示信号が破棄されるとしたが、チャンネル切換器１７が出力するデータ初期化信号や映像信号／ＶＢＩ無信号検出器１４が出力するデータ初期化信号によってもテレテキストデコーダ２０内のテレテキスト表示信号が破棄されるのはいうまでもない。
【００３２】
なお、上述した実施形態では、装置５０をテレビジョン受像装置としたが、この他、装置５０は、ビデオ装置やパーソナルコンピュータから構成されてもよい。これら装置５０の変形例は、基本的には図１と同様の構成を備えるが、ディスプレイ１６は省略される。
【産業上の利用可能性】
【００３３】
本発明はテレテキストの表示改善等として有用である。
【図面の簡単な説明】
【００３４】
【図１】本発明の実施の形態の構成図
【図２】従来の構成図
【図３】パケット8/30 format1のフォーマット図
【図４】パケット8/30 format2のフォーマット図
【図５】パケット0のフォーマット図
【図６】放送局名検出処理、放送局名比較処理、およびテレテキスト表示信号の廃棄処理の詳細を示すフローチャート
【図７】放送局名データの検出処理の詳細を示すフローチャート
【符号の説明】
【００３５】
１０  外部映像出力機器
１１  無線リモートコントローラ（外部映像出力機器）
１２  チューナ
１３  入力切換器
１４  映像信号／ＶＢＩ無信号検出器
１５  表示装置
１６  ディスプレイ
１７  チャンネル切換器
１８  無線リモートコントローラ（チャンネル切換器）
２０  テレテキストデコーダ
２１  放送局名検出器
２２  放送局名比較器
２３  放送局名格納メモリ
３０  テレテキスト信号入力処理部
３１  ＡＶ入力端子
【図１】
2010010994.tif 000003
【図２】
2010010994.tif 000004
【図３】
2010010994.tif 000005
【図４】
2010010994.tif 000006
【図５】
2010010994.tif 000007
【図６】
2010010994.tif 000008
【図７】
2010010994.tif 000009